Podtech/llm-jp-corpus-v4-ja_patent huggingface dataset:
(57)【要約】      （修正有）【課題】  健康コーティング層を設置したサポーターを着装することにより、自然に体質改善効果を得て自然に健康回復をかることができる。【解決手段】  サポーター２の内側に、遠赤外線セラミックス粒子と、電気石を主原料としてマイナスイオンセラミックス粒子と、誘電分極した健康効果のあるアメシスト粒子とを、乳酸菌群と光合成細菌群との溶液に混合して、高温高圧でコーティング層４を設置したものである。【選択図】        図３
2006320685.tif 000002
【特許請求の範囲】
【請求項１】
健康効果のある遠赤外線セラミックス粒子と、健康効果のある電気石を主原料としたマイナスイオンセラミックス粒子と、健康効果のあるアメシストの粒子とを、乳酸菌群及び光合成細菌群を中心とした溶液に混合してコーティング剤をなし、サポーターの表面に高温高圧にてコーティングして健康効果のあるコーティング層を設けるようにしたことを特徴とする健康サポーター類。
【請求項２】
健康効果のある遠赤外線セラミックス粒子と、健康効果のある電気石を主原料としたマイナスイオンセラミックス粒子と、健康効果のあるアメシストを加圧加工して誘電分極させた電子を放出する粒子とを、高温８００℃で焼き付け混合し乳酸菌群及び光合成細菌群を中心とした溶液に混合してコーティング剤を作り、サポーター類の表面に高温１７０℃〜２００℃でさらに高圧２５００ｋｇ／０．２５ｍ２の条件にて高温加圧しながらコーティングを行い乾燥させた、健康効果の特徴をあるサポーター類の製造加工方法である。
【発明の詳細な説明】
【技術分野】
【０００１】  本発明は、体質改善や健康増進に適当な遠赤外線やマイナスイオン等を発生する、微弱健康エネルギー層を設けたサポーター及びその製造加工方法に関するものである。
【背景技術】
【０００２】  近年の科学の発達に伴い、社会生活上の満足度高まるにつれて新しく健康に関する事項が注目を浴びて来ている。有害な生活用品の排除ととともに、より積極的に健康効果のある生活用品の開発が求められて来ている。
そのような時代の流れの中で遠赤外線やマイナスイオンを用いた日用品や健康器具などが数多く作られ、健康管理や増進のために利用されている。
しかし現実には、それらの製品のほとんどが健康効果について科学的検証に乏しく、因果関係の科学的立証に欠如しているものが大半である。
また、科学理論的説明も不十分で、学術的に納得の得られるものは少ない。それ故、高齢化社会にあって真の健康効果を有する用品の要望は高く、特に痛めた患部に対して、自然治癒効果の高いサポーター類の必需性は要請が多いと言える。
【発明の開示】
【発明が解決しようとする課題】
【０００３】  このように高齢化社会の中、健康維持や増進のための様々なものが開発されている中で、真に自然治癒力を強化して自然治癒効果の高い健康サポーター類の取り組みが遅れていて、多くの患者から現状への不満と、有効な健康サポーター開発への強い要請を数多く受けていた。
【課題を解決するための手段】
【０００４】  本発明はこのような不都合を微弱生命環境エネルギーを活用して解消し、患部に着用するだけで健康維持や増進に役立つことができ、サポーターとその製造効果を提供せんとするものである。
健康効果のある微弱生命環境エネルギーとして活用できる遠赤外線セラミックスと、電気石を主原料としたマイナスイオンセラミックスと、アメシストの誘電分極による電子の放出を健康活用する粒子とを、８００℃で高温焼き付けして混合し、乳酸菌群及び光合成細菌群とを中心とした溶液に混合してコーティング剤を作り、サポーター類の表面に高温１７０℃〜２００℃Ｗで、さらに２５００ｋｇ／０．２５ｍ２の高温加圧を実施しながらコーティングを行い乾燥させて、永久的な健康効果と風合いを有するマツシモサポーター類を製造加工する革新的技術である。
【発明の効果】
【０００５】  サポーターは、遠赤外線セラミックス粒子と、電気石を主原料としたマイナスイオンセラミックス粒子と、アメシストを誘電分極化した粒子とを、乳酸菌群及び光合成細菌群を中心とした溶液に混合してコーティング剤をなし、サポーターの内側に高温高圧でコーティング層を設けたものである。
使用に当たっては、この健康コーティング層を内側にして患部を覆うと、遠赤外線などの健康効果で体の深部まで暖め細胞活動を活性化させる。
また加えて、マイナスイオンの健康効果で、疲労によってって人体の細胞内に蓄積されたプラスイオンを除去すると共に、乳酸菌類や光合成殺菌類と作用して、身体の新陳代謝を促進する。
このようにサポーターを使用する事によって、身体が活性化市、体質改善と健康維持に貢献する。
【発明を実施するための最良実施の形態】
【０００６】  以下本発明の実施例を図面について説明する。
図１は、サポーター全体を示し、図２は内側の健康コーティング面を示している。図３は、健康コーティングの断面と構成図であ。
図１は、使用形態を示している。
図２は、マツシモ健康サポーターの内側に施された健康コーティングの様式を示している。
図３は、健康コーティングの成分構成図を示している。
遠赤外線セラミックスとして炭化チタンを用い、マイナスイオンセラミックスとして電気石を原材料とし、アメシストを誘電分解し電子を放出する粒子に加工して、乳酸菌群と光合成細菌群の溶液を混合してサポーターの内側に高温１７０℃にて高圧２５００ｋｇ／０．２５ｍ２の力で加圧しながらコーティングを実施し、コーティング層を設置する。
健康効果としては、遠赤外線効果により体の深部まで暖め、マイナスイオン効果と誘電分極による電子放出効果によって、体内疲労の主因であるプラスイオンを除去し、乳酸菌群及び光合成細菌群の生理活動効果と作用して、身体を活性化して体質改善や健康増進をはかることができる。
【産業上の利用可能性】
【０００７】  上述の如く本発明は、サポーターの内側に、遠赤外線セラミックス粒子と、電気石を原材料としたマイナスイオンセラミックス粒子と、アメジスト誘電分極による電子放出効果粒子とを、乳酸菌群及び光合成殺菌群を中心とした溶液に混合し、高温高圧加工してコーティング層を設置するものである。
そのコーティング層の効果によって、体の皮膚より健康効果が浸透し、自然に細胞が活性化して、体質改善や健康増進をはかる健康社会の建設にあたって画期的な優れた発明である。
【図面の簡単な説明】
【０００８】
【図１】  本発明の着装図である
【図２】  本発明のコーティング層の部分拡大図である
【図３】  本発明のコーティング層の部分拡大図である
【符号の説明】
【０００９】  １    サポーター本体
２    布地
３    コーティング柄
４    コーティング層
Ａ    遠赤外線セラミックス粒子
Ｂ    マイナスイオンセラミックス
Ｃ    アメシスト粒子
Ｄ    乳酸菌群及び光合成細菌群
【図１】
2006320685.tif 000003
【図２】
2006320685.tif 000004
【図３】
2006320685.tif 000005
(57)【要約】【課題】防災に役立つとともに寝具としても利用可能なる防災用寝具を提供する。【解決手段】厚手布地に防水性シートを縫着してなるシート本体を設け、スライドファスナーを有する布片による頭巾部を設けるとともに該頭巾部の一辺をシート本体の一辺に縫着したことを特徴とする。【選択図】      図５
2006320690.tif 000002
【特許請求の範囲】
【請求項１】
厚手布地に防水性シートを縫着してなるシート本体を設け、スライドファスナーを有する布片による頭巾部を設けるとともに該頭巾部の一辺をシート本体の一辺に縫着したことを特徴とする防災用寝具。
【請求項２】
シート本体適所に結び紐を設けてなる請求項１記載の防災用寝具。
【発明の詳細な説明】
【技術分野】
【０００１】  この発明は、寝具としての機能と防災用品としての機能の双方を有する防災用の寝具に関する。
【背景技術】
【０００２】  従来より、布団やマットレス、毛布、タオルケットなど種々の寝具が多用されており、また防災頭巾などの防災用品も利用されているが、本発明にて示すように、寝具としての利用に加えて防災時にも役立てることのできる寝具は現在のところ見当たらない。
【発明の開示】
【発明が解決しようとする課題】
【０００３】  地震、火事、台風、津波、土砂崩れその他の災害が生じたとき、居住している場所を離れて体育館などの公共的施設に避難し、しばらくの間そこに身を寄せることがある。
このようなとき、移動時の身の危険を避けるために防災頭巾などが利用される。
しかし、この防災頭巾は頭部とその周囲を守るのみであり、身体全体の保護はできない。
身体を覆うものとしては、薄合成樹脂シートにより形成されたレジャーシート、アルミ箔に不織布を一体化したシート、毛布などがあるが、レジャーシートやアルミ箔を用いたシートでは薄いため、転んだり物品が身体に当たったときには身体損傷の恐れがあり、また保温効果も不十分である。毛布はもともと寝具として作られており、移動時の着用には適さず、防水機能を有していない。
本発明は、以上のような災害避難時の用具に関わる課題を解決するために発明されたもので、頭部を含めた身体の保護ができ、かつ寝具としての利用も可能なる新規かつ有用なる防災用の物品を提供することを目的としたものである。
【課題を解決するための手段】
【０００４】  課題を解決する手段として本発明は、シート本体に頭巾部を設けてその主要部を構成した。すなわち、厚手布地に防水性シートを縫着してなるシート本体を設け、スライドファスナーを有する布片による頭巾部を設けるとともに該頭巾部の一辺をシート本体の一辺に縫着する。本発明は以上の構成よりなる防災用寝具である。
【発明の効果】
【０００５】  本発明によれば、厚手布地と防水性シートを一体化するとともに、該シートの一辺に、ファスナーを有する頭巾部を取り付けたので、非常時にはファスナーを閉じて頭巾部分を頭にかぶり、シート本体を体に巻きつけることにより、身体の保温と安全を確保することができ、また避難場所にては床面に敷いて寝具としても利用可能なる有用なる物品を提供することができる。なお、結び紐を設けることで、この紐を互いに結びつけることで身体に巻きつけたシート本体の保持も可能である。
【発明を実施するための最良の形態】
【０００６】  以下、本発明の実施形態について説明する。
図において、１は長方形のシート本体で、パイル生地による厚手布地２の片面にアルミ箔を用いたアルミシートによる防水性シート３を四辺縫着したものである。５は頭巾部で、シート本体と同様構成の小四角布片であり、その一辺がシート本体の一辺中央に縫着される。この頭巾部はパイル生地２枚が中央で縫着され、同形のアルミシートが縫着して形成される。
７はスライドファスナーで、頭巾部のシート本体への縫着部の対辺に縫着される。
従って、このスライドファスナーをスライドさせることにより、頭巾部の一辺は一体化して開口部を有する略袋状となり、頭部に着用することができる。８は結び紐で、適宜長の細長小布片であり、その一端がシート本体の一辺に頭巾部をはさんで対称に縫着される。
本品を使用するには、まずスライドファスナーを閉じて略袋状になった頭巾部を頭にかぶり、シート本体を体に巻きつけ、結び紐を互いに結ぶ。すると図５〜図６に示すように頭部を含めた身体全体を覆うことができる。このシート本体は既述のようにパイル生地の表面にアルミシートが縫着されており、防水性を有するとともに厚手布地のため保温性があり、かつ外部からの衝撃からも身を守ることができる。
また、アルミシートは光の反射率が高く、直射日光を反射して過度の体温上昇を防ぐことができ、外を移動中においてはライトに対する反射にて容易に視認ができる。【０００７】  また、身体に巻きつける方式のため、使用者の体格や体形を選ぶことなく使用できる。
寝具として利用するときは、図７にて示すように厚手布地を上にして床に敷いて使用する。あるいは図８にて示すようにアルミシートを上にして掛け布団のように用いてもよい。
使用後は、丸めてコンパクトに収納することができる。
以上本発明について記したが、本発明はシート本体の一辺に頭巾部を設けたところにその特徴を有している。従来の防災頭巾は頭部の保護が目的のため、身体全体の保護は不能であった。また、寝具としての毛布を用いれば頭部を除く身体全体を覆うことができるが、防水性を有さず、身にまとうのに適さない形状であった。そして全身を覆うには防災頭巾とシートや毛布の双方を用いねばならず、別物品のためまとまりも悪いものであった。
しかるに本発明は、頭巾部とシート本体が合体した構成のため、保温・防水に優れるとともに外部からの衝撃を緩和し、かつ寝具としても利用できる物品となったのである。
なお、既述の実施形態では厚手布地としてパイル生地を用いたが、フリース生地など他の布地を用いてもよい。また、アルミシート以外にチタン合金シートや合成樹脂シートを用いてもよく、スライドファスナー以外に、ボタンやスナップによる係止としてもよい。
以上のごとく、本発明によって安全に避難できるとともに、避難後にも有効に活用できる防災用の寝具を得ることができる。
【図面の簡単な説明】
【０００８】
【図１】本発明の平面図
【図２】本発明のシート本体構造説明図
【図３】本発明の裏面図
【図４】本発明の要部拡大説明図
【図５】本発明の着用状態図
【図６】本発明の着用時における要部説明図
【図７】本発明の使用状態図（寝具に利用時）
【図８】本発明の使用状態図（寝具に利用時）
【符号の説明】
【０００９】１  シート本体
２  厚手布地
３  防水性シート
４  縫着部
５  頭巾部
６  縫着部
７  スライドファスナー
８  結び紐
【図１】
2006320690.tif 000003
【図２】
2006320690.tif 000004
【図３】
2006320690.tif 000005
【図４】
2006320690.tif 000006
【図５】
2006320690.tif 000007
【図６】
2006320690.tif 000008
【図７】
2006320690.tif 000009
【図８】
2006320690.tif 000010
(57)【要約】【課題】    つまようじと耳掻きを一体化し、携帯可能にした歯詰まりと耳垢の除去具を提供する。【解決手段】軸を短くし、軸の一端に耳掻き部と一方の端につまようじ部を設け、つまようじの先端は安全のため、ネジ構造を有するキャップを装着し、キャップの頭部に穴を設けストラップ等で携帯できることを特徴とする歯詰まりと耳垢の除去具。【選択図】  図２
2006320682.tif 000002
【特許請求の範囲】
【請求項１】
軸を短くし、軸の一端に耳掻き部と一方の端部につまようじ部を設け、つまようじ部側にネジ込み状のキャップを設け、キャップの頭部に穴を設けることにより、ストラップや安全ピン等を取り付け、携帯できることを特徴とする歯詰まりや耳垢の除去具である。
【請求項２】
本案を単体とし、耳掻きのみ、つまようじのみとして携帯可能構造とすることも可能である。
【請求項３】
つまようじ部のキャップについては、図３に示す、さし込み構造とすることも可能である。
【発明の詳細な説明】
【技術分野】
【０００１】  本発明は、つまようじと耳掻きを一体化し、携帯可能にした歯詰まりや、耳垢取りの携帯式つまようじ付き耳垢の除去具に関するものである。
【背景技術】
【０００２】  従来の耳掻きは長く、携帯するには邪魔になる。
つまようじについては、数本入る携帯用具はあるが、詰め替えを必要とし不便であった。
【発明の開示】
【発明が解決しようとする課題】
【０００３】  そのために、次のような問題点があった。
長い耳掻きは携帯するには不便で、つまようじは数本補充する携帯用具はあるが、詰め替えが面倒であり忘れることも多かった。
本発明は、以上の問題点を解決しようとするものである。
【課題を解決するための手段】
【０００４】  軸の長さを短くし、軸の一端に耳掻き部と一方の端部につまようじ部を設け、キャップの頭部に穴を設けることにより、ストラップや安全ピン等を取り付け、携帯できることを特徴とする歯詰まりと、耳垢の除去具である。
【発明の効果】
【０００５】  本発明は、異なる二つの物を一体化することで、かさばらず、キャップの頭部に穴を設けることで、ストラップや安全ピン等を取り付けることができアクセサリーにもなり、耳掻きは家族で使い廻しすることもなく、つまようじは詰め替えの煩わしさが無く、外出時に携帯することにより簡易に使用出来る。
【発明を実施するための最良の形態】
【０００６】以下、本発明の実施の形態を説明する。
（イ）軸（１）の一端に耳掻き部（２）と一方の端につまようじ部（３）を設ける。
（ロ）つまようじ部（３）の先にキャップ（４）を設ける。
（ハ）キャップ（４）の頭部に穴（５）を設ける。
（ニ）つまようじ部（３）を除く、軸の端部とキャップ（４）の内側に、ネジ状部（６）を設け、ネジ込み接続とする。
本発明は、以上の構成よりなっている。
本発明を使用する時は、耳掻き部（２）は通常の用い方とし、つまようじ部（３）はキャップ（４）のネジ状部（６）を緩めてはずし使用する。
この結果、安全に携帯することができる。
【図面の簡単な説明】
【０００７】
【図１】本発明の斜視図
【図２】本発明の分解斜視図
【図３】本発明の参考図
【符号の説明】
【０００８】  １  軸
２  耳掻き部
３  つまようじ部
４  キャップ
５  穴
６  ネジ状部
７  キャッチ部
８  キャッチ受部
【図１】
2006320682.tif 000003
【図２】
2006320682.tif 000004
【図３】
2006320682.tif 000005
(57)【要約】【課題】    従来の麻雀牌掃除は、手作業であり、わずらわしく手間がかかるという問題があった。これは各牌に六つある面をそれぞれに並び替えて汚れを拭き取るといった作業であり、慣れと根気を必要とするためである。【解決手段】牌を掃除じ用の回転テーブルにセットし、スイッチ入れるだけの単純作業とした、これにより、慣れ不慣れに関わらず誰でも簡単丁寧に牌の掃除をすることができる。【選択図】図１
2006320689.tif 000002
【特許請求の範囲】
【請求項１】
麻雀牌の数分だけ溝を設けたテーブルに麻雀牌をセットし、そのテーブルを平面方向に回転させることで麻雀牌を掃除する洗牌機。
【請求項２】
麻雀牌に限らず、溝の形状を変えることにより、将棋、囲碁の駒も掃除できる洗牌機。
【発明の詳細な説明】
【技術分野】
【０００１】本発明は麻雀牌洗浄の簡素化を図ったもの。
【背景技術】
【０００２】麻雀ゲームで使用する牌の掃除は、六つある面をそれぞれの面に並び替えて汚れを拭き取る単純作業であるが、慣れるまで多少の訓練が必要であり、不慣れであるとわずらわしく手間の掛かる作業となる。
【発明の開示】
【発明が解決しようとする課題】
【０００３】従来麻雀牌の掃除は、六つあるそれぞれの面に並び替えて汚れを拭き取る作業であり、不慣れであるとわずらわしく手間の掛かる作業であった。【０００４】その麻雀牌の掃除を、経験の有無に関係なく誰でも簡単・丁寧に行える事を目的とするものである。
【課題を解決するための手段】
【０００５】本発明は、上記目的を達成するために、麻雀牌の数分だけ溝を設けたテーブルに汚れ拭き取り用の布をしき、各溝に牌を埋め込むかたちでセットし、これも汚れ拭き取り用の布を貼り付けたフタをし、テーブルを平面方向に回転させることで牌の掃除ができるようにしたものである。【０００６】また、各溝の壁面に弾力性のある素材を使用することによって、騒音も少なく牌を傷つけることも防ぐ効果を発揮する。
【発明の効果】
【０００７】上述したように本発明の洗牌機は、経験の有無に関わりなく誰でも麻雀牌の掃除を簡単・丁寧に行え従来のわずらわしさから開放させてくれる。
【発明の実施するための最良の形態】
【０００８】以下、本発明の実施の形態を図１〜図３に基づいて説明する。
【０００９】図１の回転テーブル２ａに麻雀牌をセットし、回転テーブルのフタ１ａを閉めた状態で、回転テーブルを平面方向に楕円回転させる、これにより牌の面全ての汚れを拭き取ることができる。
【００１０】回転テーブルは３ａのモーターにより、平面方向に円を描きながら楕円回転を繰り返すものとする。
【００１１】図２の洗牌用の溝４ａは、牌の傷防止と騒音防止のために、弾力性のある素材を使用し、各溝は縦横１２個ずつとし全部で１４４個設ける。
【００１２】５ａは、回転テーブル側の汚れ拭き取り用の布であり、汚れの状況に応じ着脱可能とする。
【００１３】６ａは、フタ側の汚れ拭き取り用の布であり、牌の上部分を拭くために牌の上部から圧をかけるものとする。
〔実施例〕
【００１４】
【図面の簡単な説明】
【００１５】
【図１】本発明の全体図
【図２】回転テーブルの部分図
【図３】回転テーブルフタの部分図
【符号の説明】
【００１６】１ａ  回転テーブルフタ
２ａ  回転テーブル
３ａ  モーター室
４ａ  洗牌用の溝
５ａ  回転テーブル側の汚れ拭き取り布
６ａ  フタ側の汚れ拭き取り布
2006320689.tif 000003
【図１】
2006320689.tif 000004
【図２】
2006320689.tif 000005
【図３】
2006320689.tif 000006
(57)【要約】      （修正有）【課題】婦人用サンダルの踵部を足の踵に固定させるための、付け替え可能な吊り紐である。通常婦人用サンダルは、つま先のみの固定紐で、大変歩きにくく不快な音も発する。そこで、踵部を固定することで安定した歩行を可能にするファッション性を兼ねそろえた吊り紐を提供する。【解決手段】  婦人用サンダルの踵部に、吊り紐を通すための穴が付いた接着剤付踵型防水布を貼る。その穴に吊り紐を通し、更にその吊り紐に、足首を固定するためのベルトを通す。【選択図】図１
2006320697.tif 000002
【特許請求の範囲】
【請求項１】
婦人用サンダルの踵部と足の踵を固定させる取り外し可能な足首用吊り紐
【請求項２】
婦人用サンダルに設けてある吊り紐または請求項１に装着する、婦人用サンダルのデザインに合わせて付け替え可能な足首用ベルト。
【発明の詳細な説明】
【技術分野】
【０００１】  本発明は、接着剤が付いた防水布と透明紐と足首ベルトからなる、婦人用サンダルの踵部を、足の踵に安定させるための着脱式吊り紐であって、歩きやすさとファッション性を併せ持つ補助具である。
【背景技術】
【０００２】  従来、夏になると女性は涼しげでおしゃれなサンダルを、痛い足を我慢して着用している。
【発明の開示】
【発明が解決しようとする課題】
【０００３】  婦人用サンダルを着用するとき、次のような問題点があった。
婦人用サンダルは、夏に着用するには涼しげでおしゃれであるが、歩行時や階段の上り下りの際、パカパカと不快音がするうえ、ハンマートゥーや外反母趾など、足のトラブルも起こりやすい形態である。
本発明は、以上の問題点を解決し、おしゃれで健康に美しく歩行できるようになされたものである。
【課題を解決するための手段】
【０００４】  婦人用サンダルの踵部に、吊り紐を通すための穴が付いた接着剤付踵型防水布を貼る。穴に吊り紐を通し、その吊り紐に更に足首に固定するベルトを通す。
本発明は、以上の構成よりなる歩行安定のための、着脱式吊り紐である。
【発明の効果】
【０００５】  本発明を使用すると、婦人用サンダルが踵に定着し、歩行時の不快な音を防ぎ、つま先への負担も少なく、快適でおしゃれに歩行することができる。
【発明を実施するための最良の形態】
【０００６】  以下、本発明の実施の形態を説明する
（イ）裏に強い接着剤が付いた、婦人用サンダルの踵型をした防水布（３）が有する、吊り紐通し口（４）から、透明なビニール素材の吊り紐（１）を通し、更にベルト通し口（５）から足首用ベルト（２）を通す。
本発明は、以上の構成よりなる。
本発明を使用する場合は、防水布を婦人用サンダルの踵部に接合させ、足首用ベルト（２）で足首を固定する。足首用ベルト（２）は、使用する者が所有するリボンやアンクレットなどに変えることもできるので、おしゃれも楽しめる。
【図面の簡単な説明】
【０００７】
【図１】本発明の斜視図
【図２】本発明の吊り紐単体図
【図３】本発明を婦人用サンダルに装着した図
【符号の説明】
【０００８】（１）吊り紐  （２）足首用ベルト  （３）防水布  （４）吊り紐通し口  （５）足首用ベルト通し口
【図１】
2006320697.tif 000003
【図２】
2006320697.tif 000004
【図３】
2006320697.tif 000005
(57)【要約】【課題】本発明は、身体を支えるために使用されている杖に、難聴者、中途失聴者が使用できる杖を提供する。【解決手段】杖の持手の下、表面の上段に「難聴者」の欄を設け、下段に「筆談でお願い！」の欄を設け、杖の持手の下、裏面の上段に「中途失聴者」の欄を設け、下段に「大声でお願い！」の欄を設けたことを特徴とする。【選択図】図１
2006320691.tif 000002
【特許請求の範囲】
【請求項１】
（イ）杖の持手の下、表面の上段に「難聴者」の欄を設け、下段に「筆談でお願い！」の欄を設ける。
（ロ）杖の持手の下、裏面の上段に「中途失聴者」の欄を設け、下段に「大声でお願い！」の欄を設ける。
以上のように構成された難聴者・中途失聴者の黄色い杖。
【請求項２】
（イ）文字の色別は黄色、文字は黒色にする。
前記４種類の文字に、回転する窓付きグリップを設けた請求項１の難聴者、中途失聴者の黄色い杖。
【発明の詳細な説明】
【技術分野】
【０００１】本発明は、身体を支えるために使用されている杖に、難聴者、中途失聴者が使用できる杖に関するものである。
【背景技術】
【０００２】従来、盲人用の白い杖や身体を支える杖であった。
【発明の開示】
【発明が解決しようとする課題】
【０００３】これは次のような欠点があった。
従来、杖は、身体を支えたり、点字ブロックを確認したりするものであって、難聴者・中途失聴者にとって、危険回避、意思表示できるものではなかった。
【発明を解決するための手段】
【０００４】（イ）杖の持手の下、表面の上段に「難聴者」の欄を設け、下段に「筆談でお願い！」の欄を設ける。
（ロ）杖の持手の下、裏面の上段に「中途失聴者」の欄を設け、下段に「大声でお願い！」の欄を設ける。
以上のように構成された難聴者・中途失聴者の黄色い杖。
【発明の効果】
【０００５】杖の持手の下の窓付きグリップを簡単に回すことで、４種類の文字を使い分け、意思表示できる。
又、色別を黄色にすることで、遠方より目視できるので、他者に注意をうながし、危険回避できる。
【発明を実施するための最良の形態】
【０００６】以下、本発明を実施するための最良の形態について説明する。
４種類の文字を、窓付きグリップより、簡単に出すことができるので、乗り物等でいそいでいても、すぐ表示できる。
必要のないときは、グリップの窓のない部分を使用する。
色別、黄色により交通事故等危険回避できる。
【図面の簡単な説明】
【０００７】
【図１】本発明の正面図である。
【符号の説明】
【０００８】１．４種類の表示文字
２．窓付きグリップ
３．グリップ止め
４．杖の色別黄色
【図１】
2006320691.tif 000003
(57)【要約】【課題】風呂に入る楽しみをふやし又、省エネにもつながる。【解決手段】風呂桶に棚をつけその棚の部分に風呂ふたを置くことによって解決するものである。【選択図】図２
2006320694.tif 000002
【特許請求の範囲】
【請求項１】
風呂桶１に棚３を作りふた４と５を置くものである。
【発明の詳細な説明】
【技術分野】
【０００１】本発明は、風呂桶に棚をつけることによって風呂桶の利用価値を高めるものである。
【背景技術】
【０００２】従来、風呂桶は長方形になっていて何の変哲もなく、風呂桶の中に体を沈める事が入浴と思われてきた、これを改良するために考案されたものである。【０００３】従来、風呂桶における風呂ふたと、風呂桶の中の水（又は湯）との空間が広すぎて水を入浴に必要のある温度にするのにロスがあった、これを改良するために考案されたものである。
【発明の開示】
【発明が解決しようとする課題】
【０００４】上述のごとく風呂桶は、長方形をしており何の変哲もないものである、風呂に入ってもカラスの行水といわれるように、すぐに出てくる人が多い、また足腰の悪い人には入りぬくく都合のわるいものであった、これを解決するものである。【０００５】従来のものは、風呂桶の水（又は湯）の部分と風呂ふたとの空間がひろくて湯を沸かすのにロスがあり、また湯がさめやすく不便であった、これを解決する者である。
【課題を解決する為の手段】
【０００６】風呂桶１の中にある棚３の部分にふた４をのせる、こうすればここに腰をかけることにより足湯にもなり、半身浴にもなる又、ふた５を風呂桶１の２の部分にのせることによって、簡易のサウナとして風呂桶を使用できる。
【０００７】風呂桶３の棚の部分にふた４と５を置くことによって、水又は、湯との空間が従来の者より狭くなる事によって、水の温度の上昇が早まり省エネにもつながる。又，湯とふたとの空間が狭くなる事によって、湯の温度が下がりぬくくなる。
【発明の効果】
【０００８】今までの風呂桶と違い、足湯ができ半身欲ができ簡易のサウナとしても利用でき、風呂に入る楽しみのふえるものであり、又、従来のものより水または湯と風呂ふたの空間を狭くする事によって、水の温度を上がりやすく湯はさめぬくいという省エネ効果もあり、利用価値のあるものになった。
【発明を実施するための最良の形態】
【０００９】以下、本発明の実施の形態を図面に基づき説明する。【００１０】図１は、本発明の全体図で、図２は、６と７の線の部分における断面図である。図３は風呂ふたをあらわす。【００１１】図１、図２で示すように３の棚に風呂ふた４をのせることによって、足湯、半身欲に、２に５をのせることによって簡易のサウナに、３の部分に４と５を同時にのせる事によって、水の温度の上昇につながり、湯の温度が下がりぬくくなる。
【実施例】
【００１２】足湯あり、半身よくあり、簡易サウナあり、風呂に入る楽しみが増え又、水の温度の上昇、湯の保温にも効果があった。
【産業上の利用の可能性】
【００１３】本発明は、足腰の悪い人の入りやすい風呂として福祉の分野で、又、水の温度の上昇、湯の保温効果による省エネの分野で利用できる。
【図面の簡単な説明】
【００１４】
【図１】本発明の全体図である。
【図２】図１の線６と７の線の部分における断面図である。
【図３】風呂ふたである。
【符号の説明】
【００１５】１、  風呂桶
２、  風呂桶の上面の部分
３、  棚
４、  風呂ふた
５、  風呂ふた
６，７、図２断面図を示すための線をあらわす。
【図１】
2006320694.tif 000003
【図２】
2006320694.tif 000004
【図３】
2006320694.tif 000005
(57)【要約】      （修正有）【課題】日常生活でのちょっとした作業による、指先の汚れを防ぐための汚れ防止使い捨て指サックを提供する。【解決手段】水溶性のつまみシート１と、つまみシートに設けられた水溶性の親指用ポケット３と、つまみシートに設けられ親指とでつまむ作業に利用する指を挿入できる位置及び形状よりなる水溶性の補助ポケット２より構成された汚れ防止使い捨てサック。【選択図】  図１
2006320699.tif 000002
【特許請求の範囲】
【請求項１】
水溶性のつまみシートと、つまみシートに設けられた水溶性の親指用ポケットと、つまみシートに設けられ親指とでつまみシートを介して、つまむ作業に利用する指を挿入できる位置及び形状よりなる水溶性の補助ポケットとより構成された、汚れ防止使い捨て指サック。
【発明の詳細な説明】
【技術分野】
【０００１】  本発明は、日常生活でのちょっとした作業による指先の汚れを防止するための、汚れ防止使い捨て指サックに関するものである。
【背景技術】
【０００２】  従来、汚れたものをつかむ際に、直接つかむほかに、ゴム手袋を利用したり、ティッシュや不要紙を対象物にあててその上からつかんでいた。
【発明の開示】
【発明が解決しようとする課題】
【０００３】  それには次のような問題点があった。
（イ）ちょっとした作業による指先の汚れを洗い落とすために、いちいち手洗いに行かなければならない。
（ロ）指先が汚れないように、ティッシュなどを使い指先を保護すると、作業の効率が悪くなる。
【課題を解決するための手段】
【０００４】  水溶性のつまみシートと、つまみシートに設けられた水溶性の親指用ポケットと、つまみシートに設けられ親指とでつまむ作業に利用する指を挿入できる位置及び形状よりなる水溶性の補助ポケットとより構成された汚れ防止使い捨てサック。
【発明の効果】
【０００５】  本発明は、汚れから指先を守るので、ちょっとした作業による指先の汚れを洗いに行く手間をはぶくことができ、ティッシュなどで指先を保護することにより、作業の効率が悪かったものを改善することができる。
【発明を実施するための最良の形態】
【０００６】  以下、本発明の実施の形態について図１から図３を利用して説明する。
本発明は水溶性のつまみシート（１）と、つまみシート表面に設けられた一対のポケット（２）より構成されている。
つまみシートは、指で挟みこむために必要な幅を有するとともに、親指と人指し指で折り返して挟みこむのに必要な長さよりなっている。
つまみシート表面の一端には、親指を入れる親指用ポケットが設けられている。また、他端側表面には人指し指と中指が入る大きさの補助ポケットが設けられている。この際、両方のポケットは内側方向から指を差し込めるように開口部が設けられたものであり、ポケットを構成する素材はつまみシートと同様に水溶性素材よりなっている。
本発明は以上の構成よりなっている。
これを使用する際は図３に示すように各ポケットに指を入れ、つまみシートでゴミなどをつまみゴミ箱やトイレなど該当する場へ捨てる。この際、つまみシートが指先汚れ防止の役割を果たす。また、ゴミ以外にも座薬や各種物品に対して利用可能である。
使用後は、本発明をゴミ箱に捨てたり、水洗トイレに入れて流す。
【図面の簡単な説明】
【０００７】
【図１】本発明の斜視図
【図２】本発明の断面図
【図３】本発明の使用状態を示す側面図
【符合の説明】
【０００８】  １  つまみシート
２  補助ポケット
３  親指用ポケット
４  親指
５  指
【図１】
2006320699.tif 000003
【図２】
2006320699.tif 000004
【図３】
2006320699.tif 000005
(57)【要約】【課題】  口の周りの筋肉を鍛えて、筋肉の衰えを止め、顔を引き締め、顔のたるみを取ることが出来る美顔美容器具を得る。【解決手段】  保持棒１と、この保持棒１の内側空洞部１ａに装着された複数の美容形成部材２と、この保持棒の開放端部側に装着され、上記複数の美容形成部材２の周囲を軸方向に往復動可能に設置された操作環５とを備える。【選択図】  図１
2006320692.tif 000002
【特許請求の範囲】
【請求項１】
保持棒と、この保持棒の一端から弾力性を有し、延出拡散配置された複数の美容形成部材と、上記複数の美容形成部材の根元部分周囲をまとめて取り囲む操作環とを備え、上記保持棒の軸方向に上記操作環を往復動させて、上記美容形成部材を拡閉させるようにしたことを特徴とする美顔美容器具。
【請求項２】
上記美容形成部材は、屈曲した複数の操作棒と、この操作棒の先端に装着された保護部材とを備えたことを特徴とする請求項１記載の美顔美容器具。
【発明の詳細な説明】
【技術分野】
【０００１】  本発明は、顔の筋肉を満遍無く鍛えて、筋肉の衰えを止  、顔を引き締め、顔のたるみをとる美顔美容器具に関する。
【背景技術】
【０００２】  本来、顔のたるみは加齢と共に顔の筋肉が衰え、世の男性、特に女性には大きな悩みである。【０００３】  従来、顔のたるみを取るには、エステサロンなどに通い、顔のマッサージによる方法などがあるが、家庭の主婦には経済的な問題があり、特に男性には相当、勇気がいるものである。【０００４】  また、顔の筋肉を鍛える美顔美容器具としては、形状記憶合金等から成る本体の両端に、口内に挿入する器具を装着したものがあり、本体のバネ性を利用して口を左右に開閉運動させたものがあった。（例えば特許文献１参照）。
【特許文献１】特開２００３−１３５６２４号公報
【発明が解決しようとする課題】
【０００５】  上記のように家庭の主婦には、経済的な問題を無くし、女性にも男性にも自宅で手軽に使えるようにする必要がある。
【０００６】  上記のような従来の美顔美容器具は、口を左右に開閉運動させることが主であり、鍛えられる筋肉が少ないと言う問題点があった。
【０００７】  本発明の美顔美容器具は、上記のような問題点を解決するためになされたもので、口の周りの全体の筋肉を鍛えることの出来る美顔美容器具を得ることを目的とする。
【課題を解決する手段】
【０００８】  本発明品の美顔美容器具は、保持棒と、この保持棒の一端から弾力性を有し、延出拡散配置された複数の美容形成部材と、上記複数の美容形成部材の根元部分周囲をまとめて取り囲む操作環とを備え、上記保持棒の軸方向に上記操作環を往復動させて、上記美容形成部材を拡閉させるようにしたものである。
【０００９】  また、上記美容形成部材は、屈曲した複数の操作棒と、この操作棒の先端に装着された保護部材とを備えたものである。
【発明の効果】
【００１０】  本発明の美顔美容器具は、延出拡散配置された複数の操作棒を口の中で拡閉させることにより、口の周囲全体の筋肉を鍛えることが出来るので、筋肉の衰えを止め、顔を引き締め、顔のたるみをとることができる。
【発明を実地するための最良の形態】
【００１１】  以下、本発明の実施の形態について説明する。図１は、本発明の一実施の形態を示す美顔美容器具の正面図である。図２は、図１の左側面図である。図３は、図１の主要部の拡大断面図である。図４は、固定部材６を示す図であり、（ａ）は正面拡大図、（ｂ）は側面拡大図である。図５から図８は本発明品の美顔美容器具の使用状態を示す説明図であり、図５、図６は、顔の横から見た図である。図７、図８は、顔の正面から見た図である。
【００１２】  図１において、１は保持棒である。２は口を拡閉させる複数の美容形成部材であり、操作棒３と保護部材４で構成されている。また、操作棒３は、弾性体であり、例えばステンレス線を折り曲げて形成され、図２に示すように、延出拡散配置されている。また、操作棒３の先端部には口の中を傷つけないようにシリコーンゴムなどで形成された保護部材４が固着されている。
【００１３】  また図２に示すように、例えば保持棒１から操作棒３が放射状に８本出ており、一対の第１の操作棒３ａは第２の操作棒３ｂおよび第３の操作棒３ｃおよび第４の操作棒３ｄよりも口の横方向を拡げるために若干長く形成されている。また、一対の第３の操作棒３ｃは第１の操作棒３ａおよび第２の操作棒３ｂおよび第４の操作棒３ｄよりも口の形なりに、若干短く形成されている。
【００１４】  図３に示すように、操作棒３をしっかり固定さすため、操作棒３の一端は保持棒１の内側空洞部１ａに挿入され、固定部材６を複数の操作棒３の内側へ挿入し、固定部材６の複数の溝６ａ｛図４（Ａ）に示す｝に、はめ込み固定されている。溝６ａの深さは操作棒３であるステンレス線径より小さく形成されている。５は操作環であり保持棒１の外周部を滑動可能に形成される小径部５ａと、手で持ち矢印ＡまたはＢ方向に往復動させる大径部５ｂと、矢印Ｂ方向に動かした時のストッパとなる段部５ｃを有している。操作環５は操作棒３の周囲を軸方向に往復動可能である。
【００１５】  次に上述のように構成された美顔美容器具の使用方法を図５〜図８に基づき説明する。先ず、図５に示すように、美顔美容器具の操作環５を手で矢印Ａ方向に移動させると、８本の操作棒３の先端がすぼみ、保護部材４を口の中に挿入する。次に図６に示すように、手で操作環５を矢印Ｂ方向に移動させると、８本の操作棒３の先端が拡がる。すなわち図７に示すように、操作環５を手でＢ方向（図５に示す）へ移動させると操作棒３の力により口が拡げられる。次に図８に示すように口を閉じると顔の筋肉の力で操作棒３が閉じる。この様に操作棒３を拡閉運動を繰り返すことにより顔の筋肉を鍛えて顔のたるみを取ることが出来る。
【図面の簡単な説明】
【００１６】
【図１】  本発明の一実施の形態を示す美顔美容器具の正面図である。
【図２】  図１の左側面図であろ。
【図３】  図１の主要部の拡大断面図である。
【図４】  固定部材を示す図である。
【図５】  本発明品の美顔美容器具の使用状態を示す説明図である。
【図６】  本発明品の美顔美容器具の使用状態を示す説明図である。
【図７】  本発明品の美顔美容器具の使用状態を示す説明図である。
【図８】  本発明品の美顔美容器具の使用状態を示す説明図である。
【符号の説明】
【００１７】  １  保持棒
２  美容形成部材
３  操作棒
４  保護部材
５  操作環
【図１】
2006320692.tif 000003
【図２】
2006320692.tif 000004
【図３】
2006320692.tif 000005
【図４】
2006320692.tif 000006
【図５】
2006320692.tif 000007
【図６】
2006320692.tif 000008
【図７】
2006320692.tif 000009
【図８】
2006320692.tif 000010
(57)【要約】      （修正有）【課題】靴類に於ける防塵、防湿を得る為の方法で、靴を履いて歩行を為した場合の、靴内部に対する防塵、及び防湿の保持である。【解決手段】１、靴の甲皮部にトンネル状の空間を形成させ甲皮部上部にだけ開口部を設ける、２、トンネル状内部の靴本体に、湿気排出の為の穴、又は網目状など、任意の通気部位を形成する、３、靴本体の外面に形成してもよく、また、内面に形成させてもよい、４、この為、足の湿気がトンネル部位から放出される、５、またトンネル開口部が地而から距離を有する為に、靴が巻き上げる周辺部の埃を回避できる。【選択図】図１
2006320695.tif 000002
【特許請求の範囲】
【請求項１】
靴類の甲皮部にトンネル状の空間を形成させ、トンネル状の内部の靴本体に通気性を有する穴、又は網目状、又は任意の形状の通気孔を形成させる方法
【発明の詳細な説明】
【技術分野】
【０００１】  靴類に関するものである
【背景技術】
【０００２】  従来、靴類を履いたとき足の湿気を逃がし快適を得るために、種々な方法が考えられている、【０００３】  然るに、いまだ足の湿気を十分に逃がし、長時間の歩行でも、足の快適を保持出来るだけの機能を持った靴がない現状である【０００４】尚、種々なメッシュの靴類も存在するが、歩行で靴が巻き上げる靴の周辺部の埃が、靴の周辺部から靴の内部に入り足の快適性が保持できない欠点が存在する【０００５】また、靴内部の湿気対策で靴にエアーポンプの機能を持たせたものも存在するが、その耐久性、複雑性、経済性において、短所が存在する
【発明の開示】
【発明が解決しようとする課題】
【０００６】そこで、歩行で靴が巻き上げる靴の周辺部の埃を回避し、尚、靴内部の湿気を逃がそうとするものである
【課題を解決するための手段】
【０００７】即ち、甲皮部の先端から、歩行で靴が巻き上げる埃の影響を距離的に最もうけない部位の、甲皮部上部まで、または甲皮の足首部まで、または甲皮足首部から上部に沿った任意の立ち上がり部位に、甲皮部の先端から延長した任意の長さの上部の片面だけ開放したトンネル状の空間を設ける、（例えば第１図−の１−１、第２図の２−１、第３図の３−１、第４図の４−１、第５図の５−１、第６図の６−１）【０００８】そしてトンネル状の空間の内部の、靴本体の甲皮部、又は任意の範囲の部位にメッシュ状、穴、など任意の通気孔を開け足の湿気が抵抗なくトンネルの上部の開口部から排出される形状に為す【０００９】この、通気の為のトンネル状の空間の開口部が、埃の影響を最も受けない部位にあり、また靴内部の湿気の放出が可能な機能を為す方法を特徴とするものである（例えば第１図の１−２、第２図の２−２、第３図の３−２、第４図の４−２、第５図の５−２、第６図の６−２）
【発明の効果】
【００１０】上述、の如く歩行で靴が巻き上げる埃から、最も影響を受けない部位に通気の為のトンネルの開口部が存在することにより、砂道など悪条件の歩行などでも、長時間快適な足及び靴内部が保持できるものである【００１１】また、シンプルで簡単な構造のため耐久性、コスト性、に大いに優位を得るものである
【発明を実施するための最良の形態】
【００１２】以下、本発明の実施の形態を図１〜図６に基づいて説明する【００１３】図において、例えば１及び２、は短靴の本体で１−１、２−１はトンネルの空間部で、１−２，２−２は靴本体の防塵および湿気放出部位でありトンネルの開口部位である【００１４】図において、例えば３及び４、は長靴の本体で３−１、４−１はトンネルの空間部で３−２、４−２は、靴本体の防塵および湿気放出部位でありトンネルの開口部位である【００１５】図において、例えば５及び６、は深靴の本体で５−１、６−１はトンネルの空間部で５−２、６−２は、靴本体の防塵および湿気放出部位であリトンネルの開口部位である【００１６】前述の如く靴類の甲皮部から任意の部位までの外面又は内面にトンネル状の空間を設ける、靴本体の外面、内面、何れの方策でも可能である【００１７】そしてトンネル状の内部の、靴本体に足の湿気をトンネルに逃がす為の任意の形状の通気穴を開ける【００１８】また、トンネル状の内部の、靴本体にメッシュ状に開けてもよい【００１９】以上の如く、靴内部の足の湿気がトンネル空間を抵抗なく通過、排出でき、またトンネル開口部が最も埃の影響を受けない部位にある為、長時間の歩行でも快適な足と靴環境が保持できるものである、
【図面の簡単な説明】
【００２０】
2006320695.tif 000003
【符号の説明】
【００２１】  １、及び２、・・・・・短靴本体
１−１、１−２、・・・短靴の防塵、防湿用トンネル部
１−３、２−３、・・・トンネルの開口部位
３及び、４、・・・・・長靴本体
３−１、４−１・・・・長靴の防塵、防湿用トンネル
３−２、４−２・・・・トンネルの開口部位
５、及６、・・・・・深靴本体
５−１、６−１・・・・深靴の防塵、防湿用トンネル
５−２、６−２・・・・・トンネルの開口部位
【図１】
2006320695.tif 000004
【図２】
2006320695.tif 000005
【図３】
2006320695.tif 000006
【図４】
2006320695.tif 000007
【図５】
2006320695.tif 000008
【図６】
2006320695.tif 000009
(57)【要約】【課題】  身体障害者などの車椅子使用者が、車椅子の後部から安全かつ容易に移乗できるようにした背もたれ開閉車椅子を提供する。【解決手段】  背もたれシートの下部に回転軸を設け、その回転軸を支点に、背もたれシートが起立状態から後方に倒れ、座席部と平行になり、移動スペースが生まれることにより、車椅子に前進移乗・後進移乗を可能にすることを特徴とする背もたれ開閉車椅子。【選択図】  図１
2006320678.tif 000002
【特許請求の範囲】
【請求項１】
背もたれシートの下部に回転軸を設け、その回転軸を支点に、背もたれシートが起立状態から後方に倒れ、座席部と平行になり、移動スペースが生まれることにより、車椅子に前進移乗・後進移乗を可能にすることを特徴とする背もたれ開閉車椅子。
【発明の詳細な説明】
【技術分野】
【０００１】  本発明は、老人や身体障害者等の車椅子使用者が無理なく車椅子の後方から、容易に車椅子に乗り降りが出来る、背もたれ開閉車椅子に関するものである。
【背景技術】
【０００２】  従来、老人や身体障害者等の車椅子使用者は、ベッドなどから移乗するとき、車椅子の前側・側方から移乗していた。
【特許文献１】  特開２００２−３６０６３９号公報
【発明の開示】
【発明が解決しようとする課題】
【０００３】そのために、次のような問題点があった。
（イ）  一般の車椅子は開放側である前側から、車椅子に対して後向きの状態で移乗しなければならなかった。そのため、下肢が不自由な人は，付添い人の介護を必要としていた。
（ロ）  側方から移乗できる車椅子はあるが、長座位の状態から上半身を回転させなければならず、付添い人の補助を必要としていた。また、手すりと車輪を移動させなくてはならず、構造も複雑で高価であった。
（ハ）  ベッド等から前進・後進移乗させる為、背もたれを移動しやすい素材にしたものはなかった。
（ニ）  老人や身体障害者などの足腰の衰えた人を車椅子へ移乗させる時、付添い人が身体を支えなくてはならない為、付添い人の負担は重く、付添い人の健康にも影響が出て、社会問題化していた。
本発明は、以上の問題点を解決しようとするものである。
【課題を解決するための手段】
【０００４】  背もたれシートの下部に回転軸を設け、その回転軸を支点に背もたれシートが起立状態から後方に倒れ、座席部と平行になり、移動スペースが生まれることにより、車椅子に前進移乗・後進移乗を可能にした。以上を特徴とする背もたれ開閉車椅子である。
【発明の効果】
【０００５】  本発明は、ベッド等から車椅子に移乗する時、背もたれを座面の後部に倒し、その倒した背もたれの上を前に移動する。背もたれは、座面と水平になるため、安全にかつ容易に車椅子に移乗できる。また車椅子からベッド等に移乗する時は、倒した背もたれの上を後ろ向きに移動する。これにより、付添い人の支えがなくても車椅子に、前進移乗・後進移乗を可能にすることができる。また、構造も簡単であるため安価である。
【発明を実施するための最良の形態】
【０００６】  以下、本発明の実施の形態について説明する。
（イ）背もたれパイプ（２）に開閉する背もたれシート部（３）を設ける。
（ロ）背もたれシート部（３）の下部に回転軸（４）を設ける。
（ハ）背もたれシート部（２）に背もたれロック（５）を設ける。
本発明は以上のような構造で、これを使用するときは、背もたれロック（５）のロックを解除し、背もたれシート部（３）を回転軸（４）を支点に座面の後部に倒し座面部（１）と平行にする。座面の後部に倒した背もたれシート部（３）の上を車椅子の後部から前進移乗する。その後、背もたれシート部（３）を起立させ、背もたれシート部（３）の背もたれロック（５）機構をロックする。後進移乗をする時は、背もたれロック（５）機構のロックを解除し、起立した背もたれシート部（３）を回転軸（４）を支点に座面部（１）と平行に倒し、後進移乗することができる。
【図面の簡単な説明】
【０００７】
【図１】本発明の斜視図
【図２】本発明の使用状態を示す斜視図
【符号の説明】
【０００８】１    座面部
２    背もたれパイプ部
３    背もたれシート部
４    回転軸
５    背もたれロック
【図１】
2006320678.tif 000003
【図２】
2006320678.tif 000004
(57)【要約】      （修正有）【課題】  希望するカールヘアーを自宅にてセッテイグ可能にするのが課題である。【解決手段】  ６種類の直径及び２種類の長さのカーラー１と、クリップ、止めピンと、詳しい使用説明書をワンセットにまとめることで、自由にヘアーメイクを可能としたものである。【選択図】  図４
2006320677.tif 000002
【特許請求の範囲】
【請求項１】
カーラー１の直径が４５ｍｍ・４０ｍｍ・３５ｍｍ・３０ｍｍ・２５ｍｍ・２１ｍｍの６種類を設けてなる、カーラーセット。
【請求項２】
請求項１に記載のカーラーに於いて、髪の量の大小に応じた２種類の長さのカーラーを設けてなる、カーラーセット。
【請求項３】
請求項１に記載のカーラーセットに於いて、カーラーの他にカーラーを加熱する容器、クリップ及び止めピン等の付属品及び、詳しい使用説明書とをワンセットとせる、カーラーセット。
【発明の詳細な説明】
【技術分野】
【０００１】  本発明は、色々なカールヘアースタイリングを、自宅にて思いのままにセット出来るようにしたものである。
【背景技術】
【０００２】  従来よりカーラーは、髪をカールする用具として広く使われている、カールヘアースタイルも様々なものになり、カーラーも色々な種類が用途別に販売されているのが現状であるが、これら全てをまとめてセット化し、詳しい使用説明書により、様々な希望に応じられるようにしょうとするものである。
【発明の開示】
【発明が解決しょうとする課題】
【０００３】  本発明が解決しょうとする課題は、自宅にて必要に応じ、種々なカールヘアースタイリングを可能にするのが課題である。
【課題を解決するための手段】
【０００４】  この課題を解決する手段として、６種類の直径及び、髪の量に応じて２種類の長さのカーラーと、クリップ及び止めピン、それに詳しい使用説明書をワンセットとすることで、多くのカールヘアースタイリングを可能にしたものである。
【発明の効果】
【０００５】  発明の効果としては、自宅にて必要に応じて、多くのカールヘアースタイリングを可能とするものである。
【発明を実施するための最良の形態】
【０００６】  必要な用具一式の他に、希望するカールヘアースタイリングを可能とする、説明書とをセットにするのが最良の形態である。
【実施例】
【０００７】  図１Ａのカール１は、その直径が４５ｍｍ４０ｍｍ３５ｍｍ３０ｍｍ２５ｍｍ２１ｍｍの６種類及び、髪の量に応じた２種類の長さをワンセットとし、それに図１Ｂのクリップ２及び、図２の止めピン３を組み合わせたものである。【０００８】  直径４５ｍｍ４０ｍｍのカーラー１は女性らしいフェミニンヘアーに、直径３５ｍｍ３０ｍｍのカーラー１はエレガントにフンワリしたカールヘアーに、直径２５ｍｍ２１ｍｍのカーラー１はクッキリカールヘアーにスタイリングするのに適している。【０００９】  カーラー１によりカールヘアーにスタイリングするには、先ず希望するヘアースタイルに適した直径のカーラー１を、加熱容器により一定温度になるまで温める、カーラー１が暖まればこれを取り出し、図２及び図４のＡ及びＢのように、イメージするカールの大きさにカーラー１を選び髪に巻き付け、これをクリップ２又は止めピン３により、図４のＢのクリップ２による固定４及び、止めピン３により固定５する、セット終了後はカーラー１の冷えるまで待ち、カーラー１が冷えた後これ等を取り外し、全体をまとめて希望するカールヘアーを完成させる。【００１０】  このようにフェミニンに大きなカール、エレガントにふんわりカール、キュートにクッキリカール、ナチュラルなスソ巻きアレンジ等ポイントカールを決めることが出来るもので、それに必要な種々な直径及び長さのカーラー１と、クリップ２及び止めピン３を揃え、更に詳しい使用説明書により、希望するカールヘアーにスタイリング可能にしたものである。
【産業上の利用可能性】
【００１１】  多忙な現在、時間に制約されること無く、特に費用を掛けずに希望するカールヘアースタイリングを、自宅にて可能にするものである。
【図面の簡単な説明】
【００１２】
【図１】Ａはカーラー、Ｂはクリップの一例、Ｃはクリップをカーラーに取り付けた所を示す図
【図２】カーラーに髪を巻き付けクリップで止めている所を示す図
【図３】止めピンの一例を示す図
【図４】Ａはカーラーに髪を巻き付けている図、Ｂはクリップによる固定と止めピンによる固定を示す図
【符号の説明】
【００１３】１  カーラー
２  クリップの一例
３  止めピンの一例
４  クリップで固定した髪
５  止めピンで固定した髪
【図１】
2006320677.tif 000003
【図２】
2006320677.tif 000004
【図３】
2006320677.tif 000005
【図４】
2006320677.tif 000006